(57)【要約】【課題】電磁波計測器の方を計測対象物の外周を移動させながら、その計測対象物から発せられる電磁波の計測を行う際に、電磁波計測器に接続された電磁波計測用ケーブルに妨げられることなく実施できるようにした電磁波計測用ケーブルの牽引装置及び牽引方法を提供する。【解決手段】計測対象物Aの外周を取り巻く外周レール3の外側に、ケーブル用ガイド5を外周レール3に沿って敷設する。外周レール3の上にアンテナ台車4を配置する。アンテナ台車4への電力供給や電気信号送受信等のための計測用ケーブル8を床下に収納しておく。計測用ケーブル8の先端8aを床面に近接した高さに保持されるようにアンテナ台車4に接続する。計測用ケーブル8はアンテナ台車4の移動と共に、ケーブル用ガイド5の外側面にガイドされてアンテナ台車4の移動方向に牽引されるように設置する。【選択図】  図１
2018105755.tif 000002
【特許請求の範囲】
【請求項１】
計測対象物の外周に敷設された外周レールに沿って移動する電磁波計測器に接続される電磁波計測用ケーブルの牽引装置において、前記外周レールの外側に当該外周レールに沿って敷設されたケーブル用ガイドを備え、かつ前記電磁波計測用ケーブルは、前記電磁波計測器の移動と共に前記ケーブル用ガイドの外側面にガイドされて前記電磁波計測器の移動方向に牽引されるように設置されていることを特徴とする電磁波計測用ケーブルの牽引装置。
【請求項２】
請求項１記載の電磁波計測用ケーブルの牽引装置において、前記ケーブル用ガイドは、前記外周レールの周方向に連続して敷設されていることを特徴とする電磁波計測用ケーブルの牽引装置。
【請求項３】
請求項１記載の電磁波計測用ケーブルの牽引装置において、前記ケーブル用ガイドは、前記外周レールの周方向に所定間隔おきに敷設されていることを特徴とする電磁波計測用ケーブルの牽引装置。
【請求項４】
請求項１〜３のいずれかひとつに記載の電磁波計測用ケーブルの牽引装置において、前記ケーブル用ガイドの上端に電磁波計測用ケーブルの外れ止めが設けられていることを特徴とする電磁波計測用ケーブルの牽引装置。
【請求項５】
請求項１〜４のいずれかひとつに記載の電磁波計測用ケーブルの牽引装置において、前記電磁波計測用ケーブルを支持しながら前記電磁波計測器の移動と共に前記ケーブル用ガイドに沿って電磁波計測器の移動方向に移動する小型台車を備えていることを特徴とする電磁波計測用ケーブルの牽引装置。
【請求項６】
計測対象物の外周に環状に敷設された外周レールに沿って移動する電磁波計測器に接続される電磁波計測用ケーブルの牽引方法において、前記外周レールの外側に当該外周レールに沿ってケーブル用ガイド敷設し、前記電磁波計測用ケーブルは、前記ケーブル用ガイドの外側面にガイドさせて前記電磁波計測器の移動方向に牽引することを特徴とする電磁波計測用ケーブルの牽引方法。
【発明の詳細な説明】
【技術分野】
【０００１】
本発明は、電波暗室内やオープンサイトにおいて、計測対象物から発せられる電磁波を計測対象物の周囲を移動しながら計測する電磁波計測装置に用いられる電磁波計測用ケーブルの牽引装置及び牽引方法に関し、計測対象物から発せられる電磁波の計測作業を電磁波計測用ケーブルによって妨げられることなくきわめて効率的かつ円滑に実施できるようにしたものである。
【背景技術】
【０００２】
従来、電波暗室内やオープンサイトにおいて、電気・電子機器などの計測対象物から発せられる放射ノイズ等の電磁波を計測する方法として、計測対象物をターンテーブルの上に載せて回転させ、ターンテーブル周囲の一地点から電磁波計測器を用いて計測する方法が一般に知られている。
【０００３】
しかし、この計測方法には計測対象物の大型化に伴い、ターンテーブルやターンテーブルを回転させる装置などが大型化して大掛かりなものとなり、コストが大幅に嵩む等の課題があった。
【０００４】
このため、計測対象物を一地点に静止した状態で置き、その周囲を移動しながら計測器によって計測対象物から発せられる電磁波を計測する方法が提案されている。
【０００５】
例えば、特許文献１(図８参照)には、航空機の実機体(2)の周囲に環状レール(3)を敷設し、当該環状レール(3)の上に電磁波を送受信するためのアンテナブロック(41)を乗せて移動させることにより、実機体(2)から発せられる電磁波を全方位から計測する航空機電磁波評価装置が開示されている。
【０００６】
この装置では、アンテナブロック(41)を環状レール(3)に沿って移動させる駆動装置への電力供給、あるいは評価装置(42)による各種電磁波特性の評価を遠隔操作装置(5)により行うとしている。
【０００７】
即ち、環状レール(3)に沿って移動するアンテナブロック(41)と評価装置(42)とを繋ぐケーブルはなく、完全に分離されていることが前提となっており、また、アンテナブロック(41)を移動させる駆動装置にはバッテリーを搭載するなどの工夫が必要とされている。
【０００８】
また、アンテナブロック(41)及び評価装置(42)と遠隔操作装置(5)との間で電磁波による送受信が必要なため、実機体(2)から発せられる電磁波の計測に対して、ある程度の影響（ノイズの発生）が生じる可能性があった。
【０００９】
電磁波計測に対するノイズ等の影響を排除するには、アンテナブロック(41)と評価装置(42)にケーブルを用いて電力の供給や電気信号の送受信を行うのが有効とされている。
【先行技術文献】
【特許文献】
【００１０】
【特許文献１】特開平８−３０４４９７号公報
【発明の概要】
【発明が解決しようとする課題】
【００１１】
しかし、特許文献１の発明では、実機体(2)の周囲をアンテナブロック(41)及び評価装置(42)が完全に一周するため、アンテナブロック(41)及び評価装置(42)への電力供給や電気信号の送受信をするためのケーブルを用いると、そのケーブルを収納している地点からアンテナブロック(41)及び評価装置(42)がある程度離れると、ケーブルがアンテナブロック(41)及び評価装置(42)に引っ張られて直線状になり、環状レール(3)の内側に入り込もうとする問題があった。
【００１２】
また、ケーブルが環状レール(3)の内側にあると、実機体(2)からの電磁波受信の妨げになるので、アンテナブロック(41)及び評価装置(42)を移動する毎に、ケーブルが環状レール(3)の内側に入らないように移動する作業が必要になり、非効率的であった。
【００１３】
しかし、特許文献１の発明では、アンテナブロック(41)の駆動装置への電力供給等は遠隔操作装置により行うことを前提にしており、ケーブルを常に環状レール(3)の外側にあるように牽引することの必要性や、その課題及び解決手段の示唆について何ら触れられていない。
【００１４】
本発明は、このような課題および実情に鑑みてなされたもので、電磁波計測器の移動が、当該計測器に牽引される電磁波計測用ケーブルによって妨げられることなく、計測対象物から発せられる電磁波の計測作業をきわめて効率的に実施できるようにした電磁波計測用ケーブルの牽引装置及び牽引方法を提供することを目的とするものである。
【課題を解決するための手段】
【００１５】
本発明は、電波暗室内やオープンサイトにおいて、床の上に敷設された外周レールに沿って計測対象物の外周を移動する電磁波計測器に接続される電磁波計測用ケーブルの牽引装置の発明であり、前記外周レールの外側に外周レールに沿って敷設されたケーブル用ガイドを備え、前記電磁波計測用ケーブルは、前記ケーブル用ガイドの外側面にガイドされて前記電磁波計測器の移動方向に移動するように設置されていることを特徴とするものである。
【００１６】
ケーブル用ガイドとしては、たとえば、外周レールの周方向に帯状に連続させて環状に敷設されたもの、外周レールの周方向に一定長に連続するガイドを所定間隔おきに間隔をおいて敷設されたもの、さらには、外周レールに沿って複数のガイドピンを一定間隔おきに立設してケーブル用ガイドとしたもの等とすることができる。
【００１７】
また、計測対称物の周囲を環状に取り巻くように敷設し、その平面形状は特に限定されるものではなく、計測対称物の形状や大きさ等に応じて最適な形状に敷設することができる。
【００１８】
電磁波計測用ケーブルは、電波暗室の床下もしは電波暗室に隣接して設置されたケーブル収納庫に収納しておき、電磁波計測器の移動と同時に電波暗室の床の上に引き出せるようにしておけばよい。
【００１９】
また、電波暗室の床の上に引き出された後、可能な限り床面に近い位置を牽引できるように電磁波計測器に接続するのが望ましい。そうすることで、ケーブル用ガイドの高さをケーブルの太さよりある程度高くするだけでよく、特に必要であれば、ケーブル用ガイドの上端にフック等の外れ止めを設けることにより、ケーブルが牽引中にケーブル用ガイドを乗り越えて外周レール側に入り込むのを確実に防ぐことができる。ここで、「ある程度の高さ」とは、電磁波計測器に接続されたケーブル先端の床面からの高さ未満とする。
【００２０】
さらに、ケーブル収納庫に電磁波計測器の移動に連動して作動するケーブル巻き取り装置を設置しておくことにより、床の上に引き出された計測用ケーブルにたるみが生ずるのを防止することができる。
【００２１】
このような構成により、電磁波計測器に牽引される電磁波計測用ケーブルは、ケーブル用ガイドのない状態では、電磁波計測器が外周レールに沿って移動しても、外周レールに沿って牽引されずに電磁波計測器に向かって直線状に牽引されてしまうため、電磁波計測器の脚部に絡みつく等して電磁波計測作業の妨げになることがあったが、そのような問題は解消される。
【００２２】
本発明によれば、外周レールの外側にケーブル用ガイドを外周レールに沿って敷設し、当該ケーブル用ガイドに添わせて電磁波計測用ケーブルを牽引することにより、計測用ケーブルによって電磁波計測器の移動が妨げられるようなことはなく、計測対象物から発せられる電磁波の計測作業をきわめて円滑に行うことができる。
【００２３】
なお、外周レールに一台の電磁波計測器を設置して外周レールの全周を移動するようにすることも可能であるが、計測用ケーブルが非常に長くなって実用的ではないため、電磁計測器を２台設置し、その移動範囲を180度とするほうが合理的である。勿論、電磁波計測器をさらに増やし、例えば３台とし、その移動範囲を120度とすることも可能である。
【００２４】
また、ケーブル支持用の小型台車を用意し、床の上に引き出されたケーブルを長さに応じて複数の小型台車に載せて牽引することにより、ケーブルと床面との摩擦が軽減されるので、ケーブルの牽引に必要な引張力を低減することができる。
【発明の効果】
【００２５】
本発明は、以上のような手段によるので、次のような効果がある。
【００２６】
電磁波計測器に牽引される電磁波計測用ケーブルは、外周レールの外側に設置されたケーブル用ガイドに巻き付けられて保持されるため、外周レールの内側に入ることが無いので、ケーブルの位置を気にすることなく電磁波計測器を外周レールに沿って移動することができる。
【００２７】
また、電磁波計測器は、計測対称物の大きさや形状等に応じて複数台とすることで、最適な長さのケーブルを無理なく牽引することができ、かつ計測対象物の電磁波計測位置を多角的に設定することができるので、計測作業の効率化を図れる。
【００２８】
また、ケーブル支持用の小型台車を用いれば、ケーブルの牽引に必要な引張力を低減することができるので、電磁波計測器を人力で移動する場合には特に好適である。
【００２９】
また、本発明のケーブルを外周レールの外側に設置したケーブル用ガイドに添わせて円弧状に牽引する方法は極めて簡便かつ安価である。
【図面の簡単な説明】
【００３０】
【図１】本発明の電磁波計測用ケーブルの牽引装置および牽引方法の一実施形態を説明する平面配置例である。
【図２】本発明のアンテナ台車とケーブル用ガイド及びケーブルの位置関係を示し、図2(a)は立面図、図2(b)は図2(a)におけるイ−イ線矢視図である。
【図３】本発明のケーブル用ガイドの別形状を示す説明図である。
【図４】本発明におけるケーブルが常にケーブル用ガイドの外側に保持される原理を説明する図である。
【図５】本発明におけるケーブルが常にケーブル用ガイドの外側に保持される原理を説明する図である。
【図６】本発明のケーブル用ガイドを棒状の物とした場合の説明である。
【図７】図６のケーブル用ガイドを用いた場合に、ケーブルがケーブル用ガイドに巻き取られる時の状態を説明する図である。
【図８】一従来例を図示したものであり、実機体から発せられる電磁波を全方位から計測する航空機電磁波評価装置の構成を示す上面図である。
【発明を実施するための形態】
【００３１】
図１〜図７は、本発明の一実施形態を図示したものであり、電波暗室内に設置された電磁波計測用ケーブル(以下「計測用ケーブル」)の牽引装置および牽引方法を説明する平面配置例を図示したものである。
【００３２】
図において、電波暗室１内の床２の上に外周レール３が敷設され、当該外周レール３の上に１または複数台の電磁波計測器(以下「アンテナ台車」)４が設置されている。
【００３３】
また、外周レール３の外側にケーブル用ガイド５が敷設され、さらに電波暗室１に隣接して電磁波計測室６が配置されている。
【００３４】
また、床２に設けられた開口部７から床２の上に計測用ケーブル８が引き出され、当該計測用ケーブル８の先端8aはアンテナ台車４に接続されている。
【００３５】
外周レール３は、床２の中央に置かれた計測対象物Ａの周囲を取り囲むように、計測対象物Ａの位置を中心に環状に敷設され、当該外周レール３の平面形状は計測対象物Ａの平面形状に応じて、図示するような円形や楕円形などの自由な形状をした環状に敷設されていればよい。
【００３６】
また、外周レール３は、外周レール３の一部または全体が撤去できるように敷設されていてもよい。そうすることにより外周レール３が敷設された後からでも、外周レール３の一部を一時的に撤去するだけで外周レール３の内側に計測対象物Ａを自由に出し入れすることができる。
【００３７】
さらに、外周レール３の全体が床２の床面と面一に敷設されていてもよい。そうすることにより外周レール３の内側に計測対象物Ａを自由に出し入れできるだけでなく、外周レール３が作業員の歩行等の障害になることもない。
【００３８】
アンテナ台車４は、計測対象物Ａから発せられる放射ノイズ等の電磁波を受信する受信アンテナ4aと計測用ケーブル８の先端8aが接続された接続部4bをそれぞれ備え、またレール３に沿って計測対象物Ａの周囲を電力により自力で走行できるように構成されている。なお、アンテナ台車４の走行方法は人力による走行としてもよい。
【００３９】
また特に、接続部4bは、アンテナ台車４の側部に後述するケーブル用ガイド５より外側に突出され、かつケーブル用ガイド５の上端より下方の床面近くまで所定長さに垂設されている(図2(a),(b)参照)。
【００４０】
さらに、接続部4bは鉛直面内を回転自在に取り付けられ、かつ復帰スプリグ(図省略)等によって常時下方を向くように付勢され、そして接続部4bの下端部にケーブル８の先端8aが接続され、これにより計測用ケーブル８は床面もしくは可能な限り床面に近い位置を牽引され、また牽引中の計測用ケーブル８に不測の張力が作用したとしても接続部8bで吸収でき、ケーブル８の損傷を未然に防止することができる。
【００４１】
ケーブル用ガイド５は、外周レール３の外側のごく近くに床２よりほぼ垂直に立ち上げられ、かつ外周レール３の周方向に帯板状に連続して設置され(図2,4参照)、必要に応じて、ケーブルガイド５の上端部に外向きで下方に断面略Ｕ状に開口するケーブル外れ止めフック5aが形成されている(図３参照)。
【００４２】
なお、ケーブル用ガイド５は、外周レール３の周方向に一定間隔おきに設置されていてもよく(図５参照)、また、外周レール３の外側に複数のガイドピン5bを外周レール３の周方向に間隔をおいて立設したものでもよい(図6,7参照)。
【００４３】
計測用ケーブル８は、アンテナ台車４に動力用電源を供給すると共に、受信アンテナ4aで受信された電磁波を電磁波計測室５に送受信するためのケーブルであり、例えば床下収納庫(図省略)に収納され、先端8aより一定長さ部分のみが開口部７より床２の上に引き出されている。
【００４４】
このような構成において、アンテナ台車４が外周レール３に沿って前進移動すると同時に、計測用ケーブル８は開口部７から床２の上に連続的に引き出され、かつケーブル用ガイド５の外側面に添ってアンテナ台車４の進行方向に円弧状に牽引される。
【００４５】
一方、アンテナ台車４が外周レール３に沿って後退移動すると同時に、計測用ケーブル８は、床下収納庫に設置されたケーブル巻き取り装置(図省略)によって床下収納部に巻き取られることによりケーブル用ガイド５の外側面に添ってアンテナ台車４の後退方向に円弧状に牽引される。
【００４６】
外周レール３の外側にケーブル用ガイド５が敷設されていないと、計測用ケーブル８は開口部７からアンテナ台車４に向かって直線状に牽引され、外周レール３内に入り込むこととなって計測作業に支障をきたす。
【００４７】
なお、アンテナ台車４の後退移動の際、アンテナ台車４の後退移動の速度と巻き取り装置によるケーブル８の巻き取り速度を同じにすることによりケーブル８にたるみが生じるのを防止することができる。
【００４８】
また、床２の上に引き出された計測用ケーブル８が相当長く、かつかなり重くなるときは、計測用ケーブル８を小型台車９に載せて牽引することにより、計測用ケーブル８と床２面との摩擦が軽減され、これにより計測用ケーブル８の牽引力は小さくてよく、人力で牽引することもできる。
【００４９】
なお、実施形態では電波暗室内での場合を示したが、いわゆるオープンサイトでの計測対象物の電磁波計測にも適用できることはいうまでもない。また、外周レールは、円形だけでなく楕円形等も含み、計測対象物の形状に合わせて設定することも、本発明の適用範囲である。
【産業上の利用可能性】
【００５０】
本発明は、計測対象物の周囲を移動しながら当該計測対象物から発せられる電磁波を計測する電磁波計測器に接続される電磁波計測用ケーブルの牽引装置および牽引方法を簡便かつ安価に提供するものであり、一般的に用いられるターンテーブルが不要なので、特に計測対象物が大型の場合に、電波暗室等の電磁波計測設備を低コストで提供することができる。
【符号の説明】
【００５１】
１  電波暗室
２  電波暗室内の床
３  外周レール
４  アンテナ台車(電磁波計測器)
4a  アンテナ
4b  接続部
５  ケーブル用ガイド
６  電磁波計測室
７  床に設けられた開口部
８  計測用ケーブ(電磁波計測用ケーブル)
8a  計測用ケーブルの先端
９  小型台車
Ａ  計測対象物
【図１】
2018105755.tif 000003
【図２】
2018105755.tif 000004
【図３】
2018105755.tif 000005
【図４】
2018105755.tif 000006
【図５】
2018105755.tif 000007
【図６】
2018105755.tif 000008
【図７】
2018105755.tif 000009
【図８】
2018105755.tif 000010